(57)【要約】【課題】便器の高さを抑えた移動式水洗トイレ装置を提供する。【解決手段】移動式水洗トイレ装置１は、下方を向く設置面１１ａが形成された便器１１と、便器１１の設置面１１ａよりも少なくとも一部が下方に配置され、便器１１内の汚物を排出する排水管１２と、便器１１の設置面１１ａに設けられ、便器１１を床面Ｆ上で移動可能に支持する移動機構１４と、を備える。【選択図】図１
2019058251.tif 000002
【特許請求の範囲】
【請求項１】
下方を向く設置面が形成された便器と、
前記便器の前記設置面よりも少なくとも一部が下方に配置され、前記便器内の汚物を排出する排水管と、
前記便器の前記設置面に設けられ、前記便器を床面上で移動可能に支持する移動機構と、
を備える移動式水洗トイレ装置。
【請求項２】
前記移動機構は、前記設置面から前記排水管よりも下方に向かって突出している請求項１に記載の移動式水洗トイレ装置。
【請求項３】
前記移動機構は、前記排水管を挟むように一対設けられている請求項１又は２に記載の移動式水洗トイレ装置。
【請求項４】
前記便器の前記設置面に接続され、前記移動機構に接続された台座部を備える請求項１から３のいずれか一項に記載の移動式水洗トイレ装置。
【請求項５】
前記移動機構を一対備え、
前記台座部は、前記便器の前記設置面よりも前記設置面に沿う第１方向の外側に延び、
前記一対の移動機構は、前記台座部の前記第１方向の各端部に接続されている請求項４に記載の移動式水洗トイレ装置。
【請求項６】
前記台座部には、前記排水管との干渉を避けるための退避部が形成されている請求項４又は５に記載の移動式水洗トイレ装置。
【発明の詳細な説明】
【技術分野】
【０００１】
本発明は、移動式水洗トイレ装置に関する。
【背景技術】
【０００２】
従来、使用者が身近な場所で使用できる移動式水洗トイレ装置（以下、トイレ装置とも略して言う）が知られている（例えば、特許文献１参照）。トイレ装置には、床面上で移動できるように、後方の下部左右にキャスタ（移動機構）が取付けられている。トイレ装置が有する便座の後方には、手すりが取付けられている。トイレ装置には、前方下方部けこみ内に凹部が形成されている。
このように構成されたトイレ装置は、以下のような手順で運搬・移動する。凹部に手を挿入し、トイレ装置の前方を浮かす。トイレ装置を後ろに傾けてキャスタを用いて移動させる。
【先行技術文献】
【特許文献】
【０００３】
【特許文献１】特開２００６−１０２３４０号公報
【発明の概要】
【発明が解決しようとする課題】
【０００４】
しかしながら、特許文献１のトイレ装置では、便器及びキャスタを上下方向に積み上げた構成になるため、便器の高さが一般的なトイレ装置よりも高くなる。このため、身長が比較的低い使用者等がトイレ装置に座りにくくなる。また、ベッド等からトイレ装置に乗り移りにくくなる。
【０００５】
本発明は、このような問題点に鑑みてなされたものであって、便器の高さを抑えた移動式水洗トイレ装置を提供することを目的とする。
【課題を解決するための手段】
【０００６】
上記課題を解決するために、この発明は以下の手段を提案している。
本発明の移動式水洗トイレ装置は、下方を向く設置面が形成された便器と、前記便器の前記設置面よりも少なくとも一部が下方に配置され、前記便器内の汚物を排出する排水管と、前記便器の前記設置面に設けられ、前記便器を床面上で移動可能に支持する移動機構と、を備えることを特徴としている。
この発明によれば、排水管及び移動機構のそれぞれを便器の設置面よりも下方において、上下方向ではなく水平面に沿って並べて配置することができる。移動機構が床面上で移動するため、便器の床面からの高さを抑えることができる。
【０００７】
また、上記の移動式水洗トイレ装置において、前記移動機構は、前記設置面から前記排水管よりも下方に向かって突出していてもよい。
この発明によれば、移動機構が、既に排水管よりも下方に位置しているため、移動機構が排水管よりも下方になるように傾けることなく、床面上で移動式水洗トイレ装置を移動させることができる。
【０００８】
また、上記の移動式水洗トイレ装置において、前記移動機構は、前記排水管を挟むように一対設けられていてもよい。
この発明によれば、一対の移動機構が排水管を挟む方向において移動式水洗トイレ装置が傾きにくくなるため、移動式水洗トイレ装置の動きを安定させることができる。
【０００９】
また、上記の移動式水洗トイレ装置において、前記便器の前記設置面に接続され、前記移動機構に接続された台座部を備えてもよい。
この発明によれば、便器の設置面に移動機構を接続しやすくすることができる。
【００１０】
また、上記の移動式水洗トイレ装置において、前記移動機構を一対備え、前記台座部は、前記便器の前記設置面よりも前記設置面に沿う第１方向の外側に延び、前記一対の移動機構は、前記台座部の前記第１方向の各端部に接続されていてもよい。
この発明によれば、第１方向において移動式水洗トイレ装置が傾きにくくなるため、移動式水洗トイレ装置の動きを安定させることができる。
【００１１】
また、上記の移動式水洗トイレ装置において、前記台座部には、前記排水管との干渉を避けるための退避部が形成されていてもよい。
この発明によれば、退避部内に排水管を配置することで、排水管及び台座部全体としての外形を小さく抑えることができる。
【発明の効果】
【００１２】
本発明の移動式水洗トイレ装置によれば、便器の高さを抑えることができる。
【図面の簡単な説明】
【００１３】
【図１】本発明の一実施形態の移動式水洗トイレ装置の正面図である。
【図２】同移動式水洗トイレ装置の側面図である。
【図３】同移動式水洗トイレ装置の便器の平面図である。
【図４】同便器を側面視した断面図である。
【図５】同便器を下方から見た斜視図である。
【図６】同移動式水洗トイレ装置の台座部の斜視図である。
【図７】本発明の変形例の実施形態における移動式水洗トイレ装置の台座部の斜視図である。
【発明を実施するための形態】
【００１４】
以下、本発明に係るトイレ装置の一実施形態を、図１から図７を参照しながら説明する。
図１及び図２に示すように、本実施形態のトイレ装置１は、便器１１と、第１排水管（排水管）１２と、台座部１３と、キャスタ（移動機構）１４と、を備えている。本トイレ装置１は、いわゆる洋式のトイレ装置である。以下では、このトイレ装置１に着座して使用する使用者の前後方向及び左右方向（第１方向）を用いて説明する。
【００１５】
図３及び図４に示すように、便器１１の上面は、水平面に沿って平坦に形成されている。便器１１の上面の中央部には、下方に向かって凹んだ凹部１７が形成されている。例えば、凹部１７はすり鉢状である。凹部１７内には、トイレ装置１を使用する使用者の汚物等が収容される。
便器１１の下部には、底面（設置面）１１ａが形成されている。底面１１ａは、水平面に沿って平坦に形成され、下方を向いている。
凹部１７の下端部には、第１排水管１２の端部が接続されている。第１排水管１２は、便器１１の底面１１ａよりも下方に配置されている。第１排水管１２は、後方に向かって延びている。
図５に示すように、第１排水管１２は、便器１１の底面１１ａにおける左右方向の中央部に配置されている。第１排水管１２は、便器１１内の汚物等を排出する。
【００１６】
第１排水管１２の管路は、凹部１７内の空間に連通している。第１排水管１２及び便器１１は、樹脂や陶器等により一体に形成されている。
なお、第１排水管１２は、トラップを有する湾曲した形状に形成されてもよい。第１排水管１２の一部のみが、便器１１の底面１１ａよりも下方に配置されていてもよい。
移動式のトイレ装置の場合、一般的な固定式のトイレ装置のように排水勾配を取ることが出来ないため、動力ポンプを使用して排水される。第１排水管１２は、例えば真空ポンプによって減圧される下流側の第２排水管、もしくは圧送ポンプが設けられた下流側の第２排水管に接続される。
図３に示すように、凹部１７の上方の外周縁部には、給水管１８の端部が接続されている。
図２に示すように、便器１１の後端部上には、後述する便座３４の支持部材１９が固定されている。
【００１７】
図６に示すように、台座部１３は、一対の天板２１と、一対の内側板２２と、底板２３と、一対の外側板２４とを有している。各天板２１は、水平面に沿って配置されている。一対の天板２１は、左右方向に間隔を空けて配置されている。各内側板２２は、天板２１の左右方向の内側の端部から、下方に向かって延びている。底板２３は、各内側板２２の下端部を連結している。各外側板２４は、天板２１の左右方向の外側の端部から、下方に向かって延びている。
一対の内側板２２及び底板２３により、台座部１３に退避部２５が形成されている。すなわち、台座部１３では、天板２１が下方に向かって屈曲することで退避部２５が形成されている。例えば、台座部１３は、１枚の鋼板を折り曲げること等により形成されている。
【００１８】
図１に示すように、退避部２５は、台座部１３が第１排水管１２との干渉を避けるための前後方向に延びる凹構造である。退避部２５は、第１排水管１２、及び第１排水管１２と第２排水管との接続部分を保護する。台座部１３の退避部２５内に、第１排水管１２が配置されている。台座部１３は、便器１１の底面１１ａよりも底面１１ａに沿った左右方向の外側に延びている。
台座部１３は、図示しないボルトやナット等の締結部材により便器１１の底面１１ａに接続されている。この場合、便器１１の底面１１ａと台座部１３とは、各天板２１の上面という２つの面で接触している。
【００１９】
図１及び図２に示すように、キャスタ１４は、取付座２８と、フォーク２９と、シャフト３０と、車輪３１とを有している。取付座２８は、前述の締結部材により台座部１３の天板２１の下面に接続されている。フォーク２９には、一対の支持片２９ａが設けられている。一対の支持片２９ａは、左右方向に間隔を空けて配置されている。フォーク２９は、取付座２８に取付けられている。フォーク２９は、上下方向に平行な軸線周りに回転可能であることが好ましい。
シャフト３０は、各支持片２９ａの下端部の間に左右方向に延びるように配置されている。車輪３１は、一対の支持片２９ａの間に配置されている。車輪３１は、シャフト３０に回転可能に支持されている。キャスタ１４は、台座部１３を介して便器１１を床面Ｆ上で移動可能に支持する。
【００２０】
この例では、トイレ装置１は４つのキャスタ１４を備えている。４つのキャスタ１４のうち、２つが前方に配置され、２つが後方に配置されている。前方の２つのキャスタ１４、及び後方の２つのキャスタ１４は、それぞれ左右方向に間隔を空けて配置されている。前方の２つのキャスタ１４は、第１排水管１２を左右方向に挟むように配置されている。
各キャスタ１４は、台座部１３を介して便器１１の底面１１ａに設けられている。各キャスタ１４は、底面１１ａから第１排水管１２よりも下方に向かって突出している。シャフト３０は、第１排水管１２の下方に位置している。各キャスタ１４は、台座部１３の左右方向の外側の各端部に接続されている。４つのキャスタ１４及び第１排水管１２のそれぞれは、便器１１の底面１１ａよりも下方において、水平面に沿って並べて配置されている。
【００２１】
図１及び図２に示すように、トイレ装置１は、さらに便座３４と、便蓋３５と、制御ボックス３６とを備えている。
便座３４は、使用者が着座する環状部材である。便座３４は、便器１１上に配置されている。便座３４の後端部は、支持部材１９に回転可能に支持されている。
便蓋３５は、便座３４上に配置されている。便蓋３５は、便座３４及び便器１１を上方から覆う。便蓋３５の後端部は、支持部材１９に回転可能に支持されている。
【００２２】
図２に示すように、例えば、制御ボックス３６は、支持部材３９と、給水弁４０と、給排水の制御を行う基板を納めたボックス本体４１と、を有している。
支持部材３９は、給水弁４０及びボックス本体４１を便器１１の後端部に接続している。給水弁４０は、給水管１８に連通可能である。例えば、ボックス本体４１の上端部には、図示しない赤外線受光部及び便器洗浄ボタンが配置されている。使用者がリモートコントローラを操作して発せられた信号が赤外線受光部で受信されとき、又は、使用者が便器洗浄ボタンを押したときに、給水及び排水という便器１１を洗浄する一連の動作が行われる。
【００２３】
次に、以上のように構成されたトイレ装置１の動作について説明する。本実施形態のトイレ装置１は、給水弁４０に室内給水管を接続し、第１排水管１２に第２排水管を介して圧送ポンプを接続した状態で使用される。なお、第１排水管１２に真空ポンプを接続してもよい。
まず、使用者又は介助者は、トイレ装置１をベッドの脇等の所望の位置に移動させる。移動させる際に、各キャスタ１４は第１排水管１２よりも下方に向かって突出しているため、各キャスタ１４が第１排水管１２よりも下方になるように傾けることなく、床面Ｆ上でトイレ装置１を移動させる。前方の２つのキャスタ１４は、第１排水管１２を左右方向に挟むように配置されているため、トイレ装置１が左右方向に傾きにくい。
【００２４】
使用者又は介助者は、トイレ装置１の便蓋３５を上方に移動させる。使用者は、便座３４に着座し、用を足す。使用者の汚物等は、便器１１の凹部１７内に収容される。リモートコントローラ等を操作すると、給水弁４０と給水管１８とが連通する。室内給水管により供給された洗浄水は、給水弁４０及び給水管１８を通して、便器１１の凹部１７内に流れ込む。洗浄水及び汚物等は、第１排水管１２により圧送ポンプに送られる。圧送ポンプが駆動すると、圧送ポンプ内で汚物等が粉砕される。粉砕された汚物等及び洗浄水は、屋外の汚水マス等に送られる。
【００２５】
以上説明したように、本実施形態のトイレ装置１によれば、第１排水管１２及び４つのキャスタ１４のそれぞれを便器１１の底面１１ａよりも下方において、上下方向ではなく水平面に沿って並べて配置することができる。４つのキャスタ１４が床面Ｆ上で移動するため、便器１１の床面Ｆからの高さを抑えることができる。便器１１の高さを抑えることで、トイレ装置１を軽量化することができる。
各キャスタ１４は、第１排水管１２よりも下方に向かって突出している。各キャスタ１４が、既に第１排水管１２よりも下方に位置しているため、各キャスタ１４が第１排水管１２よりも下方になるように傾けることなく、床面Ｆ上でトイレ装置１を移動させることができる。
【００２６】
前方の２つのキャスタ１４は、第１排水管１２を挟むように配置されている。これにより、トイレ装置１が左右方向に傾きにくくなるため、トイレ装置１の左右方向の動きを安定させることができる。
トイレ装置１が台座部１３を備えるため、便器１１の底面１１ａにキャスタ１４を接続しやすくすることができる。特に、トイレ装置１が複数のキャスタ１４を備える場合には、予め台座部１３に複数のキャスタ１４を接続しておくことで、台座部１３を用いて複数のキャスタ１４を便器１１の底面１１ａに一度に接続することができる。
【００２７】
各キャスタ１４は、台座部１３の左右方向の外側の端部に接続されている。したがって、トイレ装置１が左右方向に傾きにくくなるため、トイレ装置１の左右方向の動きを安定させることができる。
台座部１３には、退避部２５が形成されている。このため、退避部２５内に第１排水管１２を配置することで、第１排水管１２及び台座部１３全体としての外形を小さく抑えることができる。
【００２８】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、移動機構はキャスタ１４であるとした。しかし、移動機構はこれに限定されず、ローラや無限軌道等でもよい。
２つのキャスタ１４が第１排水管１２を挟む方向及び第１方向が、左右方向であるとした。しかし、これらの方向は左右方向に限定されず、前後方向や、左右方向と前後方向との間の方向等でもよい。
【００２９】
図７に示す台座部５１のように、天板５２に形成された貫通孔により、退避部５２ａを形成してもよい。台座部５１は、天板５２と、前述の一対の外側板２４とを有している。天板５２は、水平面に沿って配置されている。退避部５２ａは、天板５２における左右方向の中央部に形成されている。各外側板２４は、天板５２の左右方向の外側の端部から、下方に向かって延びている。
便器１１の底面１１ａに台座部５１を接続したときに、台座部５１の退避部５２ａ内に第１排水管１２が配置されることで、台座部５１と第１排水管１２との干渉を避けることができる。この場合、便器１１の底面１１ａと台座部５１とは、天板５２の上面という１つの面で接触している。
なお、退避部は、天板５２に形成された切欠きであってもよい。
【００３０】
台座部１３に、退避部２５が形成されていなくてもよい。この場合、台座部は、第１排水管１２に対して前方又は後方に位置をずらした状態で、便器１１の底面１１ａに取付けられる。トイレ装置１は、台座部１３を備えなくてもよい。この場合、キャスタ１４は、便器１１の底面１１ａに直接接続される。トイレ装置１は、便座３４、便蓋３５、及び制御ボックス３６を備えなくてもよい。
便器１１の設置面は底面１１ａであるとしたが、設置面はこれに限定されず、便器１１の上下方向における中間部の外面等であってもよい。
キャスタ１４は、第１排水管１２よりも下方に向かって突出していなくてもよい。
キャスタ１４は、第１排水管１２を挟むように配置されていなくてもよい。トイレ装置１が備えるキャスタ１４の数は４つに限定されず、１つから３つでもよいし、５つ以上でもよい。
【符号の説明】
【００３１】
１    トイレ装置（移動式水洗トイレ装置）
１１  便器
１１ａ  底面（設置面）
１２  第１排水管（排水管）
１３，５１  台座部
１４  キャスタ（移動機構）
２５，５２ａ  退避部
Ｆ    床面
【図１】
2019058251.tif 000003
【図２】
2019058251.tif 000004
【図３】
2019058251.tif 000005
【図４】
2019058251.tif 000006
【図５】
2019058251.tif 000007
【図６】
2019058251.tif 000008
【図７】
2019058251.tif 000009